(57)【要約】【課題】検査時以外のタイミングにおけるメディア中のデータの削除作業やメディアの交換作業を支援し、術者の検査時の作業効率を向上させると共に、メディア中のデータの削除時期やメディアの交換時期の予測精度を向上させること。【解決手段】医用データ管理システム１０は、医用データを保存するＣＤ−Ｒ２１と、このＣＤ−Ｒ２１に医用データの読み書きを行なうＣＤ−Ｒドライブ２２と、ＣＤ−Ｒ２１の所定周期における容量情報を記憶する容量情報記憶手段２３と、この容量情報記憶手段２３に記憶された所定周期の容量情報の推移を分析し、ＣＤ−Ｒ２１の保存限界時を演算する保存限界時演算手段２４と、この保存限界時演算手段２４で演算した保存限界時を出力するモニタ１４とを備えた。【選択図】  図１
2006318338.tif 000002
【特許請求の範囲】
【請求項１】
医用データを保存するデータ保存手段と、
前記医用データ保存手段に前記医用データの読み書きを行なうデータ読書手段と、
前記データ読書手段の所定周期における容量情報を記憶する容量情報記憶手段と、
前記容量情報記憶手段に記憶された所定周期の容量情報の推移を分析し、前記データ読書手段の保存限界時を演算する保存限界時演算手段と、
前記保存限界時演算手段で演算した保存限界時を出力する出力手段とを備えたことを特徴とする医用データ管理システム。
【請求項２】
前記医用データを生成するモダリティに対して動作を指示する端末装置に、前記データ読書手段、前記容量情報記憶手段及び前記保存限界時演算手段を設けたことを特徴とする請求項１に記載の医用データ管理システム。
【請求項３】
前記医用データを保管するサーバに、前記データ読書手段、前記容量情報記憶手段及び前記保存限界時演算手段を設けたことを特徴とする請求項１に記載の医用データ管理システム。
【請求項４】
前記データ保存手段及び前記データ読書手段の組み合わせとして、ＣＤ−Ｒ及びＣＤ−Ｒドライブ、ＣＤ−ＲＷ及びＣＤ−ＲＷドライブ、ＭＯ及びＭＯドライブ、又は、ＤＶＤ−Ｒ及びＤＶＤ−Ｒドライブを用いたことを特徴とする請求項１に記載の医用データ管理システム。
【請求項５】
前記データ読書手段としてのハードディスクドライブによって、前記データ保存手段としてのハードディスクに前記医用データの読み書きを行なうことを特徴とする請求項１に記載の医用データ管理システム。
【請求項６】
前記医用データを記録するデータ記録媒体と、
前記データ記録媒体に前記医用データを記録することで、前記医用データを出力するデータ出力手段と、
前記データ記録媒体の所定周期における媒体量情報を記憶する媒体量情報記憶手段と、
前記媒体量情報記憶手段に記憶された所定周期の媒体量情報の推移を分析し、前記データ記録媒体の出力限界時を演算する出力限界時演算手段と、
前記出力限界時演算手段で演算した出力限界時を出力する出力手段とを備えたことを特徴とする医用データ管理システム。
【請求項７】
前記データ出力手段をプリンタとし、前記データ記録媒体としてロール紙、単票紙又はフィルムを用いたことを特徴とする請求項６に記載の医用データ管理システム。
【請求項８】
前記保存限界時又は前記出力限界時を出力する出力手段としてモニタを備えたことを特徴とする請求項１又は６に記載の医用データ管理システム。
【請求項９】
前記保存限界時又は前記出力限界時を出力する出力手段としてスピーカを備えたことを特徴とする請求項１又は６に記載の医用データ管理システム。
【請求項１０】
医用データがデータ保存媒体に保存されるデータ保存工程と、
前記データ保存媒体の所定周期における容量情報が記憶される容量情報記憶工程と、
前記容量情報記憶工程で記憶された所定周期の容量情報の推移が分析され、前記データ保存媒体の保存限界時が演算される保存限界時演算工程と、
前記保存限界時演算工程で演算した保存限界時が出力される保存限界時出力工程とを有することを特徴とする医用データ管理方法。
【請求項１１】
前記保存限界時演算工程では、前記保存限界時として平均的保存限界時、楽観的保存限界時値及び悲観的保存限界時が演算されることを特徴とする請求項１０に記載の医用データ管理方法。
【請求項１２】
前記医用データを生成する検査の終了時に、前記容量情報記憶工程、前記保存限界時演算工程及び前記保存限界時出力工程を行なうことを特徴とする請求項１０に記載の医用データ管理方法。
【請求項１３】
医用データがデータ記録媒体に記録されるデータ記録工程と、
前記データ記録媒体の所定周期における媒体量情報が記憶される媒体量情報記憶工程と、
前記媒体量情報記憶工程で記憶された所定周期の媒体量情報の推移が分析され、前記データ記録媒体の出力限界時が演算される出力限界時演算工程と、
前記出力限界時演算工程で演算した出力限界時が出力される出力限界時出力工程とを有することを特徴とする医用データ管理方法。
【請求項１４】
前記出力限界時演算工程では、前記出力限界時として平均的出力限界時、楽観的出力限界時値及び悲観的出力限界時が演算されることを特徴とする請求項１３に記載の医用データ管理方法。
【請求項１５】
前記医用データを生成する検査の終了時に、前記媒体量情報記憶工程、前記出力限界時演算工程及び前記出力限界時出力工程を行なうことを特徴とする請求項１３に記載の医用データ管理方法。
【発明の詳細な説明】
【技術分野】
【０００１】
本発明は、データの保存容量の増加量から記憶装置の保存限界時を求める技術に係り、特に、医用装置にて生成した医用データの保存限界時と出力限界時とを求める医用データ管理システム及びその管理方法に関する。
【背景技術】
【０００２】
医用装置としての超音波診断装置で生成した画像データ及び計測データ等の医用データは、超音波診断装置に内蔵するＨＤＤ（Hard Disk Drive）やメディア、サーバ等に保存されたり、プリンタ用紙に記録することによって出力されたりする。メディアとしては、ＣＤ−Ｒ（Compact Disk-Recordable）、ＣＤ−ＲＷ（Compact Disk-ReWritable）、ＭＯ（Magneto Optical disk）、ＤＶＤ（Digital Video Disk）、ＤＶＤ−ＲＷ（Digital Video Disk-ReWritable）等がある。
【０００３】
また、無人運転中の共用コンピュータ装置において、補助記憶装置の残容量を把握する補助記憶装置状態通知方法が提供されている（例えば、特許文献１参照。）。この方法によると、共用コンピュータ装置は補助記憶装置の残容量を定期的にチェックして、残量量データを取得する。そして、残容量データを基に、単位時間当たりの使用記憶エリアの平均増加量（平均増加率）を算出し、残容量データと平均増加率とに基づいて補助記憶装置の保存限界までの日数を求める。
【特許文献１】特開平９−１７９７７５号公報
【発明の開示】
【発明が解決しようとする課題】
【０００４】
しかしながら、ＨＤＤやメディアは保存容量が決まっており、医用データの容量がＨＤＤやメディアの保存容量にほぼ達した場合、メディアの交換、ＨＤＤやメディアからのデータの削除（バックアップを含む）を行なう必要がある。医用装置では、ＨＤＤやメディアの現時点での残り容量又は保存容量を示すだけであり、あとどのくらいの検査（保存）が可能か、あとどのくらいでＨＤＤやメディアを交換すべきかの判断が術者に委ねられていた。よって、その判断に不慣れな術者が医用装置を用いた検査をしている最中にメディアの保存容量に達することもあり、その場合、検査を中断してＨＤＤやメディアの交換作業を行なうこととなるので、術者の検査時の作業が非効率的であった。
【０００５】
また、特許文献１によると、残容量データと平均増加率とに基づいて補助記憶装置の残り保存限界までの日数を求めているが、医用データの保存では、記憶装置としてのＨＤＤやメディアへの１日当たりの保存サイズのばらつきが比較的大きいので、残容量データと平均増加率とに基づいてＨＤＤやメディアの保存限界までの日数を求めるだけでは精度に問題がある。
【０００６】
さらに、医用データは、画像としてプリント用紙等に記録され出力される場合もあり、不慣れな術者によっては検査を中断してプリント用紙の補給・交換作業を行なうこととなるので、術者の検査時の作業が非効率的であった。
【０００７】
本発明は、上述した事情を考慮してなされたもので、検査時以外のタイミングにおけるデータ保存手段中のデータの削除作業やデータ保存手段の交換作業を支援し、術者の検査時の作業効率を向上させることができる医用データ管理システム及びその管理方法を提供することを目的とする。
【０００８】
また、本発明の第２の目的は、データ保存手段中のデータの削除時期やデータ保存手段の交換時期の予測精度を向上させることができる医用データ管理システム及びその管理方法を提供することにある。
【０００９】
さらに、本発明の第３の目的は、検査時以外のタイミングにおけるデータ記録媒体の交換又は補給作業を支援し、術者の検査時の作業効率を向上させることができる医用データ管理システム及びその管理方法を提供することにある。
【００１０】
加えて、本発明の第４の目的は、データ記録媒体の交換又は補給時期の予測精度を向上させることができる医用データ管理システム及びその管理方法を提供することにある。
【課題を解決するための手段】
【００１１】
本発明に係る医用データ管理システムは、上述した課題を解決するために、医用データを保存するデータ保存手段と、前記データ保存手段に前記医用データの読み書きを行なうデータ読書手段と、前記データ保存手段の所定周期における容量情報を記憶する容量情報記憶手段と、前記容量情報記憶手段に記憶された所定周期の容量情報の推移を分析し、前記データ保存手段の保存限界時を演算する保存限界時演算手段と、前記保存限界時演算手段で演算した保存限界時を出力する出力手段とを備えた。
【００１２】
また、本発明に係る医用データ管理システムは、前記医用データを記録するデータ記録媒体と、前記データ記録媒体に前記医用データを記録することで、前記医用データを出力するデータ出力手段と、前記データ記録媒体の所定周期における媒体量情報を記憶する媒体量情報記憶手段と、前記媒体量情報記憶手段に記憶された所定周期の媒体量情報の推移を分析し、前記データ記録媒体の出力限界時を演算する出力限界時演算手段と、前記出力限界時演算手段で演算した出力限界時を出力する出力手段とを備えた。
【００１３】
本発明に係る医用データ管理方法は、上述した課題を解決するために、医用データがデータ保存媒体に保存されるデータ保存工程と、前記データ保存媒体の所定周期における容量情報が記憶される容量情報記憶工程と、前記容量情報記憶工程で記憶された所定周期の容量情報の推移が分析され、前記データ保存媒体の保存限界時が演算される保存限界時演算工程と、前記保存限界時演算工程で演算した保存限界時が出力される保存限界時出力工程とを有する。
【００１４】
また、本発明に係る医用データ管理方法は、医用データがデータ記録媒体に記録されるデータ記録工程と、前記データ記録媒体の所定周期における媒体量情報が記憶される媒体量情報記憶工程と、前記媒体量情報記憶工程で記憶された所定周期の媒体量情報の推移が分析され、前記データ記録媒体の出力限界時が演算される出力限界時演算工程と、前記出力限界時演算工程で演算した出力限界時が出力される出力限界時出力工程とを有する。
【発明の効果】
【００１５】
本発明に係る医用データ管理システム及びその管理方法によると、検査時以外のタイミングにおけるデータ保存手段中のデータの削除作業やデータ保存手段の交換作業を支援し、術者の検査時の作業効率を向上させることができる医用データ管理システム及びその管理方法を提供することを目的とする。
【００１６】
また、本発明に係る医用データ管理システム及びその管理方法によると、データ保存手段中のデータの削除時期やデータ保存手段の交換時期の予測精度を向上させることができる。
【００１７】
さらに、本発明に係る医用データ管理システム及びその管理方法によると、検査時以外のタイミングにおけるデータ記録媒体の交換又は補給作業を支援し、術者の検査時の作業効率を向上させることができる。
【００１８】
加えて、本発明に係る医用データ管理システム及びその管理方法によると、データ記録媒体の交換又は補給時期の予測精度を向上させることができる。
【発明を実施するための最良の形態】
【００１９】
本発明に係る医用データ管理システム及びその管理方法の実施の形態について、添付図面を参照して説明する。
【００２０】
図１は、本発明に係る医用データ管理システム及びその管理方法の第１実施の形態を示す概略図である。
【００２１】
図１は、モダリティ（撮像装置）９で生成した生体に関する画像データや計測データ等の医用データを管理する医用データ管理システム１０を示し、この医用データ管理システム１０には、モダリティ９に対して動作を指示し、また、医用データを保存するコンピュータとしての端末装置１２と、術者が操作内容を端末装置１２に入力できるキーボードやトラックボール等の入力装置１３と、端末装置１２の医用データ等を出力する出力装置としてのモニタ１４とが備えられる。
【００２２】
端末装置１２には、データ保存媒体に医用データの読み書きを行なうデータ読書手段、例えばＣＤ−Ｒ（Compact Disk-Recordable）２１に読み書きを行なうＣＤ−Ｒドライブ２２と、ＣＤ−Ｒ２１の所定周期における容量情報、例えば空き容量を記憶する容量情報記憶手段２３と、この容量情報記憶手段２３に記憶した所定周期の空き容量の推移を分析し、ＣＤ−Ｒ２１の保存限界時を演算する保存限界時演算手段２４とが少なくとも設けられる。なお、ＣＤ−Ｒドライブ２２は、端末装置１２の外部に設ける構成であってもよい。また、容量情報記憶手段２３は、所定周期におけるＣＤ−Ｒ２１の保存サイズを記憶し、保存限界時演算手段２４にて、所定周期の保存サイズの推移を分析し、ＣＤ−Ｒ２１の保存限界時を演算するようにしてもよい。
【００２３】
医用データ管理システム１０は、医用装置としてのＸ線画像診断装置、ＣＴ（Computerized Tomography）装置、ＭＲＩ（Magnetic Resonance Imaging）装置又は超音波診断装置等に装備されている。しかし、この場合に限定されるものではなく、医用データ管理システム１０は、例えば、各種モダリティで生成した医用データを一元保管する画像保管サーバに装備されてもよい。
【００２４】
また、データ保存媒体としてＣＤ−Ｒ２１を、データ読書手段としてＣＤ−Ｒドライブ２２を例示した。しかし、この場合に限定されるものではなく、データ保存媒体及びデータ読書手段の組み合わせは、例えば、ＣＤ−ＲＷ（Compact Disc-ReWritable）及びＣＤ−ＲＷドライブ、ＭＯ（Magneto Optical disk）及びＭＯドライブ、ＤＶＤ（Digital Video Disk）及びＤＶＤドライブ、又は、ＤＶＤ−ＲＷ（Digital Video Disc-ReWritable）及びＤＶＤ−ＲＷドライブの組み合わせ等であってもよい。
【００２５】
続いて、本発明に係る医用データ管理システム１０を用いた医用データ管理方法について図２に示したフローチャートを用いて説明する。
【００２６】
医用データ管理システム１０では、予め、データ保存媒体としてのＣＤ−Ｒ２１の空き容量を容量情報記憶手段２３に記憶するための所定周期が設定される（ステップＳ１）。所定周期として、例えば、１週間（毎週金曜日）や１ヵ月（毎月第１稼動日）等が設定される。
【００２７】
次いで、医用データ管理システム１０の稼働日において、術者（操作者）によって医用データ管理システム１０の入力装置１３が用いられ、モダリティ９による被検体の撮像が指示される。モダリティ９で生成した生体に関する画像データや計測データ等の医用データは端末装置１２に送られる。端末装置１２では、ＣＤ−Ｒドライブ２２を介してＣＤ−Ｒ２１に医用データが保存され、時間経過と共に各種医用データがＣＤ−Ｒ２１に蓄積される（ステップＳ２）。
【００２８】
次いで、医用データ管理システム１０の稼動日において全ての撮像が終了すると、入力装置１３を用いて、医用データ管理システム１０の終了操作が行なわれる（ステップＳ３）。終了操作が行なわれると、端末装置１２は、ステップＳ１で設定した所定周期に当たるタイミングで終了操作が行なわれたか否かを判断する（ステップＳ４）。例えば、ステップＳ１で所定周期として毎週金曜日が設定されていた場合、終了操作が金曜日に行なわれたか否かが判断される。
【００２９】
ステップＳ４の判断にてＹｅｓ、すなわち、所定周期に当たるタイミングで終了操作が行なわれたと判断された場合、端末装置１２の容量情報記憶手段２３では、ＣＤ−Ｒドライブ２２にセットされたＣＤ−Ｒ２１の終了操作時における容量情報が、終了操作時と共に記憶される。例えば、ＣＤ−Ｒ２１の終了操作時における空き容量が、終了操作時（終了操作日時）の情報と共に記憶される（ステップＳ５）。
【００３０】
図３は、空き容量と終了操作時の情報との一例を表として示す図である。
【００３１】
図３に示した表は、ＣＤ−Ｒ２１の空き容量（ＧＢ）と終了操作時との時系列の対応表である。例えば、ステップＳ３にて医用データ管理システム１０の終了操作が２００５年４月８日金曜日の１７時５８分に行なわれた場合、終了操作時におけるＣＤ−Ｒ２１の空き容量「４５ＧＢ」と終了操作時「2005/04/08/17:58,Fri」とが記憶される。また、図３に示した表には、医用データ管理システム１０の終了操作が行なわれた２００５年１月１４日金曜日の１８時１６分、２００５年１月２１日金曜日の１８時３分、２００５年１月２８日金曜日の１９時１１分、…、２００５年４月１日金曜日の１８時３４分におけるＣＤ−Ｒ２１の空き容量と終了操作時とがそれぞれ記憶される。
【００３２】
ステップＳ５によってＣＤ−Ｒ２１の所定周期における空き容量が記憶されると、図１に示した保存限界時演算手段２４では、所定周期の空き容量の推移が分析され、ＣＤ−Ｒドライブ２２にセットされているＣＤ−Ｒ２１の保存限界時が演算される（ステップＳ６）。
【００３３】
図４は、保存限界時の演算方法をグラフとして示す図である。
【００３４】
図４に示されたグラフは、時系列におけるＣＤ−Ｒ２１の空き容量（ＧＢ）の推移を示している。具体的には、図３に示した表から、現在（２００５年４月８日金曜日の１７時５８分）のＣＤ−Ｒ２１の空き容量「４５ＭＢ」がプロットされ、現在から過去（図中現在から左方向）に向かってＣＤ−Ｒ２１の空き容量が時系列でプロットされている。このグラフによると、１２週前（２００５年１月１４日金曜日の１８時１６分）から現在にかけて、時間経過と共にＣＤ−Ｒ２１に医用データが蓄積されるので、ＣＤ−Ｒ２１の空き容量が減少している。
【００３５】
また、このグラフには、予め任意に設定されるＣＤ−Ｒ２１の空き容量許容線Ｌが設けてある。
【００３６】
さらに、このグラフには、現在から将来（図中現在から右方向）に向かって保存限界時予測線、例えば３段階の平均的保存限界時予測直線ｌ、楽観的保存限界時予測直線ｍ及び悲観的保存限界時予測直線ｎが設けてある。平均的保存限界時予測直線ｌ、楽観的保存限界時予測直線ｍ及び悲観的保存限界時予測直線ｎはプロットを基に作成されるものであり、現在のＣＤ−Ｒ２１の空き容量「４５ＭＢ」をそれぞれ起点としている。
【００３７】
ここで、平均的保存限界時予測直線ｌ、楽観的保存限界時予測直線ｍ及び悲観的保存限界時予測直線ｎの作成方法を説明する。平均的保存限界時予測直線ｌの起点は座標［現在，４５ＧＢ］である。平均的保存限界時予測直線ｌの傾きは、１２週前から現在における各週間の傾きの平均である。例えば、１２週前と１１週前との間の空き容量の傾きは−３ＧＢ／週（６７ＧＢ／週−７０ＧＢ／週）、１１週前と１０週前との間の空き容量の傾きは−５ＧＢ／週（６２ＧＢ／週−６７ＧＢ／週）、…、１週前と現在との間の空き容量の傾きは−４ＧＢ／週（４５ＧＢ／週−４９ＧＢ／週）であり、各傾きの平均が平均的保存限界時予測直線ｌの傾きとなる。
【００３８】
楽観的保存限界時予測直線ｍの起点は座標［現在，４５ＧＢ］である。楽観的保存限界時予測直線ｍの傾きは、１２週前から現在における各週間の傾きのうち、変化量の最も小さい傾きとする。また、悲観的保存限界時予測直線ｎの起点は座標［現在，４５ＧＢ］である。悲観的保存限界時予測直線ｎの傾きは、１２週前から現在における、各週間の傾きのうち、変化量の最も大きい傾きとする。
【００３９】
そして、空き容量許容線Ｌと、平均的保存限界時予測直線ｌ、楽観的保存限界時予測直線ｍ及び悲観的保存限界時予測直線ｎとの交点をそれぞれＣＤ−Ｒ２１の平均的保存限界時、楽観的保存限界時及び悲観的保存限界時とする。ここでは、平均的保存限界時、楽観的保存限界時及び悲観的保存限界時が少数になる場合、小数点以下を切り捨てる。このグラフでは、平均的保存限界時は「（現在から）２０週後」、楽観的保存限界時は「（現在から）２７週後」、また、悲観的保存限界時は「（現在から）１２週後」となる。なお、グラフの横軸と、平均的保存限界時予測直線ｌ、楽観的保存限界時予測直線ｍ及び悲観的保存限界時予測直線ｎとの交点をそれぞれＣＤ−Ｒ２１の平均的保存限界時、楽観的保存限界時及び悲観的保存限界時としてもよい。
【００４０】
次いで、図１に示した医用データ管理システム１０から保存限界時が出力される。例えば、医用データ管理システム１０のモニタ１４に、ダイアログボックスとして平均的保存限界時、楽観的保存限界時及び悲観的保存限界時が表示される（ステップＳ７）。
【００４１】
図５は、保存限界時の表示例を示す図である。
【００４２】
図５に示した保存限界時の表示例では、ステップＳ６で演算した平均的保存限界時、楽観的保存限界時及び悲観的保存限界時が表示される。例えば、平均的保存限界時が２０週後なので、「平均的に、２０週後にメディアの容量が一杯になります。」が、楽観的保存限界時が２７週後なので、「楽観的に、２７週後にメディアの容量が一杯になります。」が、悲観的保存限界時が１２週後なので、「悲観的に、１２週後にメディアの容量が一杯になります。」がコメントとして並べられて表示される。なお、医用データ管理システム１０にスピーカ（図示しない）を備え、そのスピーカから発せられる音声によって保存限界時の出力を行なってもよい。また、医用データ管理システム１０に通信手段（図示しない）を備え、ＬＡＮ（Local Area Network）等のネットワーク（図示しない）を介して保存限界時をシステム管理者のコンピュータへ通知したり、システム管理者の携帯電話へメール機能を利用して通知したりしてもよい。
【００４３】
次いで、術者によって入力装置１３が操作され、モニタ１４上の「ＯＫ」がクリックされると、医用データ管理システム１０の終了が許可される（ステップＳ８）。医用データ管理システム１０の終了が許可されると、医用データ管理システム１０がシャットダウンされる（ステップＳ９）。また、モニタ１４上に平均的保存限界時、楽観的保存限界時及び悲観的保存限界時が表示されて所要時間経過後、「ＯＫ」がクリックされることなしに、医用データ管理システム１０の終了が許可されるように設計してもよい。
【００４４】
医用データ管理システム１０の操作終了時に保存限界時を出力することで、操作終了時から次の医用データ管理システム１０の稼動時までの間に、メディア中のデータの削除（バックアップを含む）やメディアの交換を行なうか否かが判断できる。しかし、保存限界時の出力は医用データ管理システム１０の操作終了時に限定されるものではなく、検査中であっても検査を妨げないタイミング、例えばスクリーンセーバーの終了時にモニタ１４に表示するようにしてもよい。
【００４５】
一方、ステップＳ４の判断にてＮｏ、すなわち、所定周期に当たるタイミングで終了操作が行なわれなかった場合、一般的な終了動作を経て、医用データ管理システム１０がシャットダウンされる（ステップＳ１０）。
【００４６】
医用データ管理システム１０及びその管理方法によると、医用データを保存・蓄積しているメディアの保存限界時をシステムの操作終了時に予測することで、メディア中のデータの削除時期やメディアの交換時期を判断することができる。よって、モダリティ９を用いた検査時以外のタイミングにおけるメディア中のデータの削除作業やメディアの交換作業を支援し、術者の検査時の作業効率を向上させることができる。
【００４７】
また、医用データ管理システム１０及びその管理方法によると、保存限界時を数段階に分けて出力することで、メディア中のデータの削除時期やメディアの交換時期の予測精度を向上させることができる。
【００４８】
図６は、本発明に係る医用データ管理システムの第２実施の形態を示す概略図である。
【００４９】
図６は、医用データ管理システム１０Ａを示し、この医用データ管理システム１０Ａに備えた端末装置１２には、医用データの読み書きを行なうＨＤＤ（Hard Disk Drive）３１が設けられ、このＨＤＤ３１には、医用データを保存する図示しないＨＤ（Hard Disk）が内蔵されている。
【００５０】
なお、図６に示した医用データ管理システム１０Ａについて、図１に示した医用データ管理システム１０の構成部材と同一の部材には、同一符号を付して説明を省略する。
【００５１】
続いて、本発明に係る医用データ管理システム１０Ａを用いた医用データ管理方法について図７に示したフローチャートを用いて説明する。
【００５２】
医用データ管理システム１０Ａでは、予め、データ保存手段としてのＨＤの容量情報を記憶するための所定周期が設定される（ステップＳ１１）。
【００５３】
次いで、医用データ管理システム１０Ａの稼動日において、術者によって医用データ管理システム１０Ａの入力装置１３が用いられ、モダリティ９による被検体の撮像が指示される。モダリティ９で生成した生体に関する画像データや計測データ等の医用データは端末装置１２に送られる。端末装置１２では、ＨＤＤ３１を介してＨＤに医用データが保存され、時間経過と共に各種医用データがＨＤに蓄積される（ステップＳ１２）。
【００５４】
次いで、医用データ管理システム１０Ａの稼動日において全ての撮像が終了すると、入力装置１３を用いて、医用データ管理システム１０Ａの終了操作が行なわれる（ステップＳ１３）。終了操作が行なわれると、端末装置１２は、ステップＳ１１で設定した所定周期に当たるタイミングで終了操作が行なわれたか否かを判断する（ステップＳ１４）。
【００５５】
ステップＳ１４の判断にてＹｅｓ、すなわち、所定周期に当たるタイミングで終了操作が行なわれたと判断された場合、端末装置１２の容量情報記憶手段２３では、終了操作時のＨＤの空き容量が、終了操作時の情報と共に記憶される（ステップＳ１５）。
【００５６】
ステップＳ１５によってＨＤの所定周期における空き容量が記憶されると、保存限界時演算手段２４では、所定周期の空き容量の推移が分析され、ＨＤの保存限界時が演算される（ステップＳ１６）。
【００５７】
次いで、医用データ管理システム１０Ａのモニタ１４には、ダイアログボックスとして保存限界時が図５に示した表示例に準じて表示される（ステップＳ１７）。
【００５８】
術者によって入力装置１３が操作され、モニタ１４上の「ＯＫ」がクリックされると、医用データ管理システム１０Ａの終了が許可される（ステップＳ１８）。データ容量管理システム１０Ａの終了が許可されると、医用データ管理システム１０Ａがシャットダウンされる（ステップＳ１９）。また、モニタ１４上に保存限界時が表示されて所要時間経過後、「ＯＫ」がクリックされることなしに、医用データ管理システム１０Ａの終了が許可されるように設計してもよい。
【００５９】
一方、ステップＳ１４の判断にてＮｏ、すなわち、所定周期に当たるタイミングで終了操作が行なわれなかった場合、一般的な終了動作を経て、医用データ管理システム１０Ａがシャットダウンされる（ステップＳ２０）。
【００６０】
医用データ管理システム１０Ａ及びその管理方法によると、医用データを保存・蓄積しているＨＤの保存限界時をシステムの操作終了時に予測することで、ＨＤ中のデータの削除時期を判断することができる。よって、モダリティ９を用いた検査時以外のタイミングにおけるＨＤ中のデータの削除作業を支援し、術者の検査時の作業効率を向上させることができる。
【００６１】
また、医用データ管理システム１０Ａ及びその管理方法によると、保存限界時を数段階に分けて出力することで、ＨＤ中のデータの削除時期の予測精度を向上させることができる。
【００６２】
図８は、本発明に係る医用データ管理システムの第３実施の形態を示す概略図である。
【００６３】
図８は、医用データ管理システム１０Ｂを示し、この医用データ管理システム１０Ｂには、端末装置１２と、医用データをデータ記録媒体に記録することで医用データを出力するデータ出力手段とが備えられる。例えば、医用データをデータ記録媒体としてのロール紙４１に記録することで、データ出力手段としてのプリンタ４２から医用データを出力する。なお、データ記録媒体としてロール紙４１を例示したが、データ記録媒体はロール紙４１に限定されるものではなく、例えば、Ａ４及びＢ５サイズ等の単票紙や画像を記録するフィルムであってもよい。
【００６４】
端末装置１２には、プリンタ４２によって医用データが記録されるロール紙４１の所定周期における媒体量情報、例えば残長（未使用分の長さ）を記憶する媒体量情報記憶手段４３と、この媒体量情報記憶手段４３に記憶した所定周期の残長の推移を分析し、ロール紙４１の出力限界時を演算する出力限界時演算手段４４とが少なくとも設けられる。なお、媒体量情報記憶手段４３は、所定周期におけるロール紙４１の使用分の長さを記憶し、出力限界時演算手段４４にて、所定周期の使用分の長さの推移を分析し、ロール紙４１の出力限界時を演算するようにしてもよい。
【００６５】
なお、図８に示した医用データ管理システム１０Ｂについて、図１に示した医用データ管理システム１０の構成部材と同一の部材には、同一符号を付して説明を省略する。
【００６６】
続いて、本発明に係る医用データ管理システム１０Ｂを用いた医用データ管理方法について図９に示したフローチャートを用いて説明する。
【００６７】
医用データ管理システム１０Ｂでは、予め、データ記録媒体としてのロール紙４１の残長をデータ出力手段としての媒体量情報記憶手段４３に記憶するための所定周期が設定される（ステップＳ２１）。また、データ出力手段としてのプリンタ４２にロール紙４１をセットし、セット時のロール紙４１の残長、例えば購入時のロール紙４１の長さが入力される（ステップＳ２２）。
【００６８】
次いで、医用データ管理システム１０Ｂの稼動日において、術者によって医用データ管理システム１０Ｂの入力装置１３が用いられ、モダリティ９による被検体の撮像が指示される。モダリティ９で生成した生体に関する画像データや計測データ等の医用データは端末装置１２に送られる。端末装置１２では、プリンタ４２を介してロール紙４１に医用データが記録され、医用データが出力される（ステップＳ２３）。
【００６９】
次いで、医用データ管理システム１０Ｂの稼動日において全ての撮像が終了すると、入力装置１３を用いて、医用データ管理システム１０Ｂの終了操作が行なわれる（ステップＳ２４）。終了操作が行なわれると、端末装置１２は、ステップＳ２１で設定した所定周期に当たるタイミングで終了操作が行なわれたか否かを判断する（ステップＳ２５）。
【００７０】
ステップＳ２５の判断にてＹｅｓ、すなわち、所定周期に当たるタイミングで終了操作が行なわれたと判断された場合、端末装置１２の媒体量情報記憶手段４３では、終了操作時のロール紙４１の残長が、終了操作時の情報と共に記憶される（ステップＳ２６）。
【００７１】
ステップＳ２６によって所定周期でロール紙４１の残長が記憶されると、出力限界時演算手段４４では、所定周期の残長の推移が分析され、プリンタ４２にセットされているロール紙４１の出力限界時が演算される（ステップＳ２７）。
【００７２】
図１０は、出力限界時の演算方法をグラフとして示す図である。
【００７３】
図１０に示されたグラフは、時系列におけるロール紙４１の残長（ｍ）の推移を示している。具体的には、現在（２００５年４月８日金曜日の１７時５８分）のロール紙４１の残長「１０．１ｍ」がプロットされ、現在から過去（図中現在から左方向）に向かってロール紙４１の残長が時系列でプロットされている。このグラフによると、１２週前（２００５年１月１４日金曜日の１８時１６分）から現在にかけて、時間経過と共にロール紙４１に医用データが記録・消費されるので、ロール紙４１の残長が減少している。
【００７４】
また、このグラフには、予め任意に設定されるロール紙４１の残長許容線Ｌ１が設けてある。
【００７５】
さらに、このグラフには、現在から将来（図中現在から右方向）に向かって出力限界時予測線、例えば３段階の平均的出力限界時予測直線ｌ１、楽観的出力限界時予測直線ｍ１及び悲観的出力限界時予測直線ｎ１が設けてある。平均的出力限界時予測直線ｌ１、楽観的出力限界時予測直線ｍ１及び悲観的出力限界時予測直線ｎ１はプロットを基に作成されるものであり、現在のロール紙４１の残長「１０．１ｍ」をそれぞれ起点としている。ここで、平均的出力限界時予測直線ｌ１、楽観的出力限界時予測直線ｍ１及び悲観的出力限界時予測直線ｎ１の作成方法は、図４に示した平均的保存限界時予測直線ｌ、楽観的保存限界時予測直線ｍ及び悲観的保存限界時予測直線ｎの作成方法と同様とする。
【００７６】
そして、残長許容線Ｌ１と、平均的出力限界時予測直線ｌ１、楽観的出力限界時予測直線ｍ１及び悲観的出力限界時予測直線ｎ１との交点をそれぞれロール紙４１の平均的出力限界時、楽観的出力限界時及び悲観的出力限界時とする。このグラフでは、平均的出力限界時は「（現在から）１０週後」、楽観的出力限界時は「（現在から）２６週後」、また、悲観的出力限界時は「（現在から）４週後」となる。
【００７７】
次いで、図８に示した医用データ管理システム１０Ｂのモニタ１４には、ダイアログボックスとして平均的出力限界時、楽観的出力限界時及び悲観的出力限界時が図５に示した表示例に準じて表示される（ステップＳ２８）。
【００７８】
術者によって入力装置１３が操作され、モニタ１４上の「ＯＫ」がクリックされると、医用データ管理システム１０Ｂの終了が許可される（ステップＳ２９）。データ容量管理システム１０Ｂの終了が許可されると、医用データ管理システム１０Ｂがシャットダウンされる（ステップＳ３０）。また、モニタ１４上に平均的出力限界時、楽観的出力限界時及び悲観的出力限界時が表示されて所要時間経過後、「ＯＫ」がクリックされることなしに、医用データ管理システム１０Ｂの終了が許可されるように設計してもよい。
【００７９】
一方、ステップＳ２５の判断にてＮｏ、すなわち、所定周期に当たるタイミングで終了操作が行なわれなかった場合、一般的な終了動作を経て、医用データ管理システム１０Ｂがシャットダウンされる（ステップＳ３１）。
【００８０】
医用データ管理システム１０Ｂ及びその管理方法によると、医用データを記録するデータ記録媒体の出力限界時をシステムの操作終了時に予測することで、データ記録媒体の交換又は補給時期を判断することができる。よって、モダリティ９を用いた検査時以外のタイミングにおけるデータ記録媒体の交換又は補給作業を支援し、術者の検査時の作業効率を向上させることができる。
【００８１】
また、医用データ管理システム１０Ｂ及びその管理方法によると、出力限界時を数段階に分けて出力することで、データ記録媒体の交換又は補給時期の予測精度を向上させることができる。
【図面の簡単な説明】
【００８２】
【図１】本発明に係る医用データ管理システムの第１実施の形態を示す概略図。
【図２】本発明に係る医用データ管理方法を示したフローチャート。
【図３】蓄積された空き容量の一例を表として示す図。
【図４】保存限界時の演算方法をグラフとして示す図。
【図５】保存限界時の表示例を示す図。
【図６】本発明に係る医用データ管理システムの第２実施の形態を示す概略図。
【図７】本発明に係る医用データ管理方法を示したフローチャート。
【図８】本発明に係る医用データ管理システムの第３実施の形態を示す概略図。
【図９】本発明に係る医用データ管理方法を示したフローチャート。
【図１０】出力限界時の演算方法をグラフとして示す図。
【符号の説明】
【００８３】
１０，１０Ａ，１０Ｂ  医用データ管理システム
１２  端末装置
１４  モニタ
２１  ＣＤ−Ｒ
２２  ＣＤ−Ｒドライブ
２３  容量情報記憶手段
２４  保存限界時演算手段
３１  ハードディスク
４１  ロール紙
４２  プリンタ
４３  媒体量情報記憶手段
４４  出力限界時演算手段
【図１】
2006318338.tif 000003
【図２】
2006318338.tif 000004
【図３】
2006318338.tif 000005
【図４】
2006318338.tif 000006
【図５】
2006318338.tif 000007
【図６】
2006318338.tif 000008
【図７】
2006318338.tif 000009
【図８】
2006318338.tif 000010
【図９】
2006318338.tif 000011
【図１０】
2006318338.tif 000012